(57)【要約】【課題】  指圧治療時に起きるこの拇指の第１関節の左右の動揺を抑えて力を集中させ、もってその拇指に掛かる面圧を高めるように関節を保護する指関節プロテクタを提供する。【解決手段】  この指関節プロテクタは長尺体、三角体、帯状体、及び環状体を一体として構成され、綿、麻、絹などの天然繊維、合成繊維などを材料としている。長尺体は、第１の接着部１１と、第２の接着部１２と、第３の接着部１３と、第４の接着部１４と、第５の接着部１５と、細幅部５とを備えている。帯状体は第６の接着部１６を備えている。このプロテクタは、手首で支持され、拇指に装着されて拇指の第１関節の背を保護する様に配置される。このプロテクタをこのように装着することにより、拇指を対象箇所に押圧したときに、拇指と人差し指の股から手首にかけての部分に張力が生じ、この張力が拇指の第１関節の左右の動揺を抑えることができる。【選択図】  図１
2005042276.tif 000002
【特許請求の範囲】
【請求項１】
拇指の関節を保護し第１及び第２の面を有する長尺体と、
前記長尺体の一端部分に取り付けられた第１及び第２の面を有する三角体と、
前記三角体の第１の角に取り付けられ、拇指を貫通する帯状体から構成された環状体と、
前記三角体の第２の角に取り付けられ、その中心軸が前記長尺体の長辺の延長線と交差するように配置され、且つ第１及び第２の面を有し、前記長尺体より短い帯状体とを具備し、
前記長尺体は、その長辺の延長線が前記三角体における前記第１の角の対辺に沿うように配置され、前記第１の面に第１の接着部と第２の接着部を有し、前記第１の接着部は、前記一端とは反対側にある他端に形成され、前記第２の接着部は、前記長尺体の前記第１の接着部より前記三角体に近接して形成され、前記第１の接着部と前記第２の接着部との間には細幅部が形成されており、また前記長尺体の前記第２の面には、第３の接着部、第４の接着部及び第５の接着部が、前記細幅部よりも前記三角体に近接して形成されており、前記第３の接着部は、前記第４及び第５の接着部より前記細幅部に近接し、前記第４の接着部は前記第３の接着部から離隔して形成され、前記第５の接着部は前記第４の接着部より前記三角体に近接して形成されており、また、前記長尺体より短い帯状体は、前記第２の面に第６の接着部を備え、前記環状体に拇指を付根まで通し、前記第５の接着部と前記第２の接着部とを接合させて手首で固定し、かつ、前記細幅部を前記拇指と人差し指の間の股に配置し、前記第６の接着部と前記第４の接着部とを接合させて前記長尺体を固定し、さらに、前記第３の接着部と前記第１の接着部とを接合し手首で固定することを特徴とする指関節プロテクタ。
【発明の詳細な説明】
【技術分野】
【０００１】  本発明は、人体矯正の為の指圧治療の際に使用する拇指の第１中手指節関節、すなわち、第１中手骨・基節骨間の関節を保護する為の保護装置に関するものである。
【背景技術】
【０００２】  人間は、激しいスポーツや特殊な職業における変則的な使用を繰り返すことによって人体に歪みが生じる。この人体の歪みや姿勢不良を原因として骨盤、脊椎、頭蓋の水平剪断が起きる。これを矯正する為に拇指を用いて筋肉の指圧調整及び脊椎等をもとの位置に戻す治療を行う。その際使用される両拇指には過度の体重圧がかかるためこれを痛めることが多く、とくにその関節部分を損傷させる傾向にあり、そのため多人数を連続して治療することは非常な困難が伴った。
発明者は、この様な困難に対処するために指関節プロテクタ（特許文献１）を提供した。これは、人体矯正の為の指圧治療の際に使用する拇指の第１中手指節関節を保護するプロテクタである。【０００３】  以下、図面を参照して従来の指関節プロテクタを説明する。
図６は、従来の指関節プロテクタの平面図である。このプロテクタは、図に示すように長尺体であり、第１及び第２の端部２１、２４と第１及び第２の面とを有している。長尺体は、綿、麻、絹などの天然繊維、合成繊維などを材料としている。長尺体は、第１の端部２１近傍の第２の面に形成された第１の接着部２５と、第１の接着部２５及び第１の端部２１から離れて前記第１の面に形成された第２の接着部２６と、第２の接着部２６から離隔し第２の端部２４に近接して第２の面に形成された第３の接着部２７と、第２の端部２４において第１の面に形成された第４の接着部２８と、第１の接着部２５と第２の接着部２６との間に設けられた第１の細幅部２２と、第２の接着部２６と第３の接着部２７との間に設けられた第２の細幅部２３とを備えている。【０００４】  図７は、従来の指関節プロテクタを装着した状態を説明する左手の平面図である。第１の細幅部２２を拇指と人差し指の股に掛け、第１の端部２１側を手の甲側から手首の手のひら側へ巻き付け前記第１の端部附近を左手の小指で押さえ、第２の端部２４側を手のひらから手首の手の甲側へ密着させながら巻く。その際、両辺を交差させその交差部が拇指の第１関節に当たるようにする。次に、第１の接着部２５と第２の接着部２６を接合し、前記第１の端部２１を指先方向に折り返す。さらに、第２の端部２４側を手首に密着させながら巻き、第２の細幅部２３を手の甲側からひら側に向けて拇指と人差し指の股に掛ける。さらに、第２の端部２４側を手首に巻き、最後に第３の接着部２７と第２の端部にある第４の接着部２８とを接合する。【０００５】
【特許文献１】  特開平９−３１３５２６号公報
（特願平８−１５９２６７）
【発明が解決しようとする課題】
【０００６】  人体矯正の為の指圧治療は、拇指の腹のみを人体の所定の部分に当て、その部分に強い圧力を加えて矯正を行う。このため前述のように拇指の腹には体重の１／３〜１／２の重圧が加えられる。例えば、人体を横たえて矯正する場合、使用される２つの拇指の腹は人体に押圧される。その際、拇指の腹に加わる面圧が大きいので、拇指の第１中手骨と基節骨とを結ぶ関節（第１中手指節関節、以下、第１関節という）が左右に動揺する。このため第１関節が痛み、破壊されていくという問題があった。発明者は、この様な困難に対処するために指関節プロテクタ（特許文献１）を提供した。
これは、人体矯正の為の指圧治療の際に使用する拇指の第１中手指節関節を保護するプロテクタである。しかし従来の指関節プロテクタ（特許文献１）は装着法がやや複雑で時間を要し、また、その形状的特徴から長時間連続して使用すると緩みやずれが生じ、効果が減少するという問題があった。
【０００７】  本発明は、指圧治療時に起きるこの拇指の第１関節の左右の動揺を抑えて力を集中させ、もってその拇指に掛かる面圧を高めるように関節を保護する装着が簡易で、長時間の連続使用でも効果が損なわれない指関節プロテクタを提供する。
【課題を解決するための手段】
【０００８】  本発明の指関節プロテクタは、拇指の関節を保護し第１及び第２の面を有する長尺体と、前記長尺体の一端部分に取り付けられた第１及び第２の面を有する三角体と、前記三角体の第１の角に取り付けられ、拇指を貫通する帯状体から構成された環状体と、前記三角体の第２の角に取り付けられ、その中心軸が前記長尺体の長辺の延長線と交差するように配置され、且つ第１及び第２の面を有し、前記長尺体より短い帯状体とを具備し、前記長尺体は、その長辺の延長線が前記三角体における前記第１の角の対辺に沿うように配置され、前記第１の面に第１の接着部と第２の接着部を有し、前記第１の接着部は、前記一端とは反対側にある他端に形成され、前記第２の接着部は、前記長尺体の前記第１の接着部より前記三角体に近接して形成され、前記第１の接着部と前記第２の接着部との間には細幅部が形成されており、また前記長尺体の前記第２の面には、第３の接着部、第４の接着部及び第５の接着部が、前記細幅部よりも前記三角体に近接して形成されており、前記第３の接着部は、前記第４及び第５の接着部より前記細幅部に近接し、前記第４の接着部は前記第３の接着部から離隔して形成され、前記第５の接着部は前記第４の接着部より前記三角体に近接して形成されており、また、前記長尺体より短い帯状体は、前記第２の面に第６の接着部を備え、前記環状体に拇指を付根まで通し、前記第５の接着部と前記第２の接着部とを接合させて手首で固定し、かつ、前記細幅部を前記拇指と人差し指の間の股に配置し、前記第６の接着部と前記第４の接着部とを接合させて前記長尺体を固定し、さらに、前記第３の接着部と前記第１の接着部とを接合し手首で固定することを特徴としている。
【０００９】  本発明の指関節プロテクタは、手首で支持され、拇指に巻回される長尺体と拇指関節を覆う三角体が拇指の第１関節の背を保護する様に配置される。このプロテクタをこのように装着することにより、拇指を対象箇所に押圧したときに、拇指と人差し指の股から手首にかけての部分に張力が生じ、この張力が拇指の第１関節の動揺を抑えることができる。
【発明を実施するための最良の形態】
【００１０】  以下、図面を参照して実施例を説明する。
図１は、本発明の指関節プロテクタの平面図である。本発明指関節プロテクタは、図に示すように第１の面及び第２の面を有する長尺体１及び前記長尺体１の一端部分に取り付けられた、第１の面及び第２の面を有する三角体２と、前記三角体２の第１の角に取り付けられ、帯状体から構成される環状体３、前記三角体２の第２の角に取り付けられ、その中心軸が前記長尺体１の長辺の延長線と交差するように配置され、且つ第１及び第２の面を有する前記長尺体１より短い帯状体４とで構成されている。本発明の指関節プロテクタは綿、麻、絹などの天然繊維、合成繊維などを材料としている。
前記長尺体１は、その長辺の延長線が前記三角体２における前記第１の角の対辺に沿うように配置される。また前記長尺体１は前記第１の面に第１の接着部１１と第２の接着部１２を有している。前記第１の接着部１１は、前記三角体２が配置されている前記一端とは反対側にある他端に形成される。また前記第２の接着部１２は、前記第１の接着部１１より前記三角体２に近接して形成され、前記第１の接着部１１と前記第２の接着部１２との間には細幅部５が形成されている。前記長尺体１の前記第２の面には、第３の接着部１３、第４の接着部１４及び第５の接着部１５が、前記細幅部５よりも前記三角体２に近接して形成されている。前記第３の接着部１３は、前記第４及び第５の接着部１４、１５より前記細幅部５に近接して配置される。前記第４の接着部１４は前記第３の接着部１３から離隔して形成され、前記第５の接着部は前記第４の接着部より前記三角体２に近接して形成される。また、前記帯状体４は、前記第２の面に第６の接着部１６を備えている。前記環状体３に拇指を付根まで通し、前記第５の接着部１５と前記第２の接着部１２とを接合させて手首で固定し、かつ、前記細幅部５を前記拇指と人差し指の間の股に配置し、前記第６の接着部１６と前記第４の接着部１４とを接合させて前記長尺体１を固定し、さらに、前記第３の接着部１３と前記第１の接着部１１とを接合し手首で固定する。【００１１】  第１乃至第６の接着部は、例えば、図２に示すようにマジックテープ（登録商標）で構成されており、第５の接着部１５と第２の接着部１２とが接合され、第６の接着部１６と第４の接着部１４とが接合され、かつ第１の接着部１１と第３の接着部１３が接合される。細幅部は、例えば、図３に示すように長尺体１のその部分を折り返すことによって形成している。【００１２】  図４は、本発明の左手の指関節プロテクタの例である。
図に示すように本発明指関節プロテクタの構造は、長尺体、三角体、環状体、及び帯状体各部位を形成し、これを接合したもの（図４（ａ））であってもよいし、長尺体、三角体、環状体、及び帯状体を一体に形成したもの（図４（ｂ））でも構わない。【００１３】  図５は、本発明の指関節プロテクタを装着した状態を説明する左手の平面図である。
環状体３を拇指の付根まで貫通させる。この際、三角体２は第１の面を手と接する面とし、且つその中心が拇指の第１関節に当たるようにし、長尺体１を手の甲側に、帯状体４を手のひら側に位置する。前記長尺体１を手の甲側から手のひら側に向けて手首に巻き付ける。つぎに前記長尺体１を、前記三角体２の手首に沿った辺を抑えるように巻き、第５の接着部１５と第２の接着部１２を接合して、前記長尺体１をさらに手首に巻き付ける。次に、細幅部５を、前記三角体２の手のひら側の辺と平行にはわせ、手の甲側から手のひら側に向けて拇指と人差し指の股に掛けるように拇指の付根に巻き、拇指第１関節の上で交差するように手首側にもどす。このとき、前記帯状体４を手首に巻き付けられた前記長尺体１方向に折り返し、第４の接着部１４と第６の接着部１６を接合させ、前記細幅部５を抑えるようにする。さらに前記長尺体１を手首に巻き付け、最後に第３の接着部１３と第１の接着部１１とを接合する。
【発明の効果】
【００１４】  本発明プロテクタの、拇指と人差し指の股から手首にかけての部分の張力により、拇指（特に基節骨と第１中手骨を繋ぐ関節）の左右の動揺を抑えることで力の集中化を生じ、過重圧による負担を軽減させ、間接の痛み・損傷を防いで指圧治療を容易にすることができる。
【図面の簡単な説明】
【図１】  本発明の指関節プロテクタの平面図。
【図２】  図１の部分拡大平面図。
【図３】  図１の部分拡大平面図及びＡ−Ａ′線に沿う部分の断面図。
【図４】  本発明の指関節プロテクタの構造図。
【図５】  本発明の指関節プロテクタを用いて関節を保護する状態を示す平面図。
【図６】  従来の指関節プロテクタの平面図。
【図７】  従来の指関節プロテクタを用いて関節を保護する状態を示す平面図。
【符号の説明】
１…長尺体    ２…三角体    ３…環状体    ４…帯状体    ５…細幅部
１１…第１の接着部    １２…第２の接着部    １３…第３の接着部
１４…第４の接着部    １５…第５の接着部    １６…第６の接着部
【図１】
2005042276.tif 000003
【図２】
2005042276.tif 000004
【図３】
2005042276.tif 000005
【図４】
2005042276.tif 000006
【図５】
2005042276.tif 000007
【図６】
2005042276.tif 000008
【図７】
2005042276.tif 000009